(57)【要約】キャップによって開放及び閉鎖される注入口を有した首部と、該首部から延長される肩部と、底部と、前記肩部と前記底部を相互連結したボディ部と、を有している。前記ボディ部は、前記マッサージボトルが身体に対して叩かれまたは加圧されたときに、弾性変形が可能となるように０．１ｍｍから０．６ｍｍの厚みで形成されている。前記ボディ部は、前記ボトルが身体に対して叩かれまたは加圧されたときに、前記身体に接触して、前記身体の多数の区別された隣接地点にマッサージ圧力を加えることが可能な形状及び配列からなる圧力マッサージ手段を含む。マッサージ用流体は、前記ボトルの叩く動作または加圧する動作に呼応して運動エネルギーが生ずるように前記プラスチックボトル内部に少なくとも部分的に充填されている。【選択図】図１ａ
2004534629.tif 000002
【特許請求の範囲】
【請求項１】
キャップによって開放及び閉鎖される注入口を有した首部と、
該首部から延長される肩部と、
底部と、
ボディ部と、を含むプラスチックマッサージボトルであって、
該ボディ部は、前記肩部と前記底部を相互連結し、前記ボトルの動きに呼応して運動エネルギーを発生することが可能な流体を少なくとも部分的に充填しており、
前記マッサージボトルが身体に対して叩かれまたは加圧されたときに前記ボディ部の弾性変形が可能な程度の小さい厚みであって、平常時に前記ボトルの構造的な形状を保持できる程度の大きい厚みを有しており、
前記ボトルが身体に対して叩かれ又は加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項２】
前記ボディ部の厚みは、０．１ｍｍから０．６ｍｍであることを特徴とする請求項１に記載のプラスチックマッサージボトル。
【請求項３】
前記ボディ部の厚みは、０．１ｍｍから０．４ｍｍであることを特徴とする請求項１に記載のプラスチックマッサージボトル。
【請求項４】
前記圧力マッサージ手段は、前記ボディ部の外周面から突出して、ボディ部と一体で形成された、多数の間隔のあいた圧力マッサージ突起からなることを特徴とする請求項１又は２に記載のプラスチックマッサージボトル。
【請求項５】
前記圧力マッサージ手段は、内側向かって凹んだ根元部と、外側に向むかって突出した火山状部と、を各々に有した多数の火山の形状の圧力マッサージ突起を含むことを特徴とする請求項１又は２に記載のプラスチックマッサージボトル。
【請求項６】
前記圧力マッサージ手段は、あらかじめ決まったパターンで前記ボディ部に配列された多数の略角錐形状の圧力マッサージ突起を含むことを特徴とする請求項１又は２に記載のプラスチックマッサージボトル。
【請求項７】
前記圧力マッサージ手段は、前記ボディ部の外周面に固定して付着された多数の弾性的に変形可能なマッサージ突起からなることを特徴とする請求項１又は２に記載のプラスチックマッサージボトル。
【請求項８】
前記圧力マッサージ手段は、前記ボディ部の外周面に分離可能に取付けられ、一方の面に形成された多数の間隔のあいた圧力マッサージ突起を有したラップアラウンドシートを含むことを特徴とする請求項１に記載のプラスチックマッサージボトル。
【請求項９】
前記ラップアラウンドシートは、文字、記号、シンボル、及びマークが印刷された広告用のパターンを有することを特徴とする請求項８に記載のプラスチックマッサージボトル。
【請求項１０】
前記圧力マッサージ手段は、前記ボディ部の外周面に分離可能に取付けられ、一方の面に一体で形成された多数の間隔のあいた圧力マッサージ突起を有したアタッチメント型シートを含むことを特徴とする請求項１に記載のプラスチックマッサージボトル。
【請求項１１】
前記アタッチメント型シートは、該アタッチメント型シートを使用する際に剥がせるように、接着手段によって一体に接着されて剥離可能な剥離紙を含むことを特徴とする請求項１０に記載のプラスチックマッサージボトル。
【請求項１２】
前記アタッチメント型シートは、あらかじめ選択された、文字、記号、シンボル、及びマークが印刷された広告用パターンを有することを特徴とする請求項１０又は１１に記載のプラスチックマッサージボトル。
【請求項１３】
前記肩部は、間隔があいて、外側に向かって多数のマッサージ突起を含むことを特徴とする請求項１、８又は１０のいずれか一項に記載のプラスチックマッサージボトル。
【請求項１４】
前記肩部は、外周面に固定して付着された多数の弾性的に変形可能なマッサージ突起を含むことを特徴とする請求項１、８又は１０のいずれか一項にプラスチックマッサージボトル。
【請求項１５】
前記間隔のあいたマッサージ突起は、５．０ｍｍから２５．０ｍｍの間隔で、２．０ｍｍから１０．０ｍｍの高さで形成されていることを特徴とする請求項４に記載のプラスチックマッサージボトル。
【請求項１６】
前記間隔のあいたマッサージ突起は、ラベル付着領域を除いた前記ボディ部の全体的に、等間隔で形成されることを特徴とする請求項４に記載のプラスチックマッサージボトル。
【請求項１７】
前記間隔のあいたマッサージ突起は、予め選択された、文字、シンボル、及びマークに配列されていることを特徴とする請求項４に記載のプラスチックマッサージボトル。
【請求項１８】
前記ボディ部は内側方向に曲線のくびれを有し、圧力マッサージ突起は、前記内側方向の曲線のくびれに配置されていることを特徴とする請求項４に記載のプラスチックマッサージボトル。
【請求項１９】
前記圧力マッサージ突起は、半球型、円錐型、及び角錐型からなる系列から選択された形状を有することを特徴とする請求項４に記載のプラスチックマッサージボトル。
【請求項２０】
前記首部と肩部との間に備えられた握り部をさらに含むことを特徴とする請求項１又は２に記載のプラスチックマッサージボトル。
【請求項２１】
前記握り部は、前記ボディ部から外周面に突出して前記ボディと一体で形成された多数の間隔のあいたマッサージ突起を含むことを特徴とする請求項２０に記載のプラスチックマッサージボトル。
【請求項２２】
前記間隔のあいたマッサージ突起は、半球型、円錐型、角錐型からなる系列から選択された形状を有することを特徴とする請求項２１に記載のプラスチックマッサージボトル。
【請求項２３】
前記圧力マッサージ手段は、環状形態の中央段付部を有して、内側に向かって凹んだ根元部と、外側にむかって突出した火山部とを各々に有した、二段の火山型の形状のマッサージ突起を含むことを特徴とする請求項４に記載プラスチックマッサージボトル。
【請求項２４】
前記間隔のあいたマッサージ突起の各々は、上部にクッション要素を有することを特徴とする請求項４に記載プラスチックマッサージボトル。
【請求項２５】
前記ボトルは、ポリエチレン、ポリエチレンテレフタルレート、及びポリプロピレンからなる系列から選択された物質で形成されていることを特徴とする請求項１、８又は１０のいずれか一項に記載のプラスチックマッサージボトル。
【請求項２６】
前記プラスチックボトルは常圧ボトル、耐圧ボトル、耐熱ボトル、及び耐熱圧ボトルからなる系列から選択されることを特徴とする請求項１、８又は１０のいずれか一項に記載のプラスチックマッサージボトル。
【請求項２７】
前記ボトルに充填される流体は、飲料を含むことを特徴とする請求項１、８又は１０のいずれか一項に記載のプラスチックマッサージボトル。
【請求項２８】
前記ボディ部は、円形、楕円形、または四角形及び四辺形からなる系列から選択される断面形状を有することを特徴とする請求項１、８又は１０のいずれか一項に記載のプラスチックマッサージボトル。
【請求項２９】
キャップによって開放及び閉鎖される注入口を有した首部と、
該首部から延長される肩部と、
底部と、
ボディ部と、を含むプラスチックマッサージボトルであって、
該ボディ部は、前記肩部と前記底部を相互連結し、
前記マッサージボトルが身体に対して叩かれまたは加圧されたときに、弾性変形が可能となるように０．１ｍｍから０．６ｍｍの厚みを有し、
前記ボトルが身体に対して叩かれまたは加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項３０】
キャップによって開放及び閉鎖される注入口を有した首部と、
底部と、
ボディ部と、を含むプラスチックマッサージボトルであって、
該ボディは、前記首部と前記底部を相互連結し、
前記マッサージボトルが身体に対して叩かれまたは加圧されたときに、弾性変形が可能となるように０．１ｍｍから０．６ｍｍの厚みを有し、
前記ボトルが身体に対して叩かれまたは加圧されたときに、前記身体に接触して、前記身体の多数の区別された隣接地点にマッサージ圧力を加えることが可能な形状及び配列からなる圧力マッサージ手段を含む、
ことを特徴とするプラスチックマッサージボトル。
【請求項３１】
前記ボディ部は、前記首部から離れるにつれて徐々に増加する断面領域を有することを特徴とする請求項２９又は３０に記載のプラスチックマッサージボトル。
【請求項３２】
前記ボトルの叩く動作または加圧する動作に呼応して運動エネルギーが生ずるように前記プラスチックボトル内部に少なくとも部分的に充填されたマッサージ用流体をさらに含むことを特徴とする請求項２９又は３０に記載のプラスチックマッサージボトル。
【発明の詳細な説明】
【技術分野】
【０００１】
本発明はプラスチックボトルに関するものであって、特に、マッサージ道具として利用可能なプラスチックマッサージボトルに関するものである。そして、このマッサージ道具であるプラスチックマッサージボトルは、そのボディ部に、該ボトルの動きに呼応して運動エネルギーを発生することが可能な流体を少なくとも部分的に充填している。さらに、このボディ部の厚みは、マッサージボトルで身体を叩くまたは加圧したときに弾性変形が可能な程度に十分薄い。さらに、該マッサージボトルは、ボトルで身体を叩く又は加圧したときに、身体の多数の区別された隣接地点にマッサージ圧力を加えることが可能な形状及び配列からなる圧力マッサージ手段をボディ部に形成している。
【背景技術】
【０００２】
一般的にブロー成形（ｂｌｏｗ  ｍｏｌｄｉｎｇ）技術で製造され、食品及び飲料用として使用される合成樹脂製のボトルは、例えば、ポリエチレンテレフタレート（ｐｏｌｙｅｔｈｙｌｅｎｅ  ｔｅｒｅｐｈｔｈａｌａｔｅ）（以下「ＰＥＴ」という）またはポリエチレン（ｐｏｌｙｅｔｈｙｌｅｎｅ）及びポリプロピレン（ｐｏｌｙｐｒｏｐｙｌｅｎｅ）の系列の熱可塑性合成樹脂の材料で製造されているが、以下では説明の便宜上、このような合成樹脂製ボトルをプラスチックボトル（ｐｌａｓｔｉｃ  ｂｏｔｔｌｅ）と総称する。
【０００３】
このようなプラスチックボトルは、軽くて壊れにくく、取り扱いが簡単なため、その需要は、ガラスボトルと金属缶の代用品として食品及び飲料産業において、拡大している。そして最近では、米国、ヨーロッパ、日本で皮膜によるガス遮断性能を改善したビール貯蔵用のＰＥＴボトルが開発されたことにより、その使用用途は益々広がっている。
【０００４】
特にＰＥＴボトルは、人体に無害でありリサイクルも可能で、焼却の時にも有害物質が生じないので環境に対して優しく、炭酸ガスや酸素などのガス遮断性が優れているので飲料を長時間変質させない特性を有している。また、ＰＥＴボトルは、ガラスボトルや金属缶に比べ、軽量素材であって、衝撃強度及び剛性に優れており、再密封も可能で、成形性、及び透明性などにも優れている。
【０００５】
このようなＰＥＴボトルは、用途にしたがって、即ち充填物を充填した後、ボトルにかかる内圧にしたがって幾つかの種類に分類される。
【０００６】
充填物が常圧状態で注入されるミネラルウォータ、醤油、食用油、焼酎、濁酒及び食料品等に使われる常圧（ｎｏｒｍａｌ  ｐｒｅｓｓｕｒｅ）ボトルと、充填物が充填されるときに、内圧が常圧より高い物としてコーラ、又は炭酸水などの主に炭酸飲料用として使われる耐圧（ｐｒｅｓｓｕｒｅ  ｒｅｓｉｓｔａｎｔ）ボトルと、低炭酸飲料を充填後に、内容物を熱水で殺菌させることができるようにする物として牛乳炭酸飲料、麦炭酸飲料等に使われる耐熱圧（ｈｅａｔ  ａｎｄ  ｐｒｅｓｓｕｒｅ  ｒｅｓｉｓｔａｎｔ）ボトルと、内容物の充填温度が約８５から９５°Ｃ位の温度で充填すること（ｈｏｔ  ｆｉｌｌｎｇ）が可能なボトルであり、ジュースなどの果汁飲料、混合飲料、お茶、コーヒー類、スポーツ飲料等に使われる耐熱（ｈｅａｔ  ｒｅｓｉｓｔａｎｃｅ）ボトルと、に各々区分される。
【０００７】
ところで、このような食品及び飲料用のプラスチックボトル製品を購入した消費者は、内容物を飲む又は飲み干した後に、プラスチックボトルをそのまま捨てる傾向にあるのがほとんどである。このような行為は、有用な資源を無駄にしてしまうことであり、ボトル自体のかさによってごみ処理するには困難となる。仮にプラスチックボトルを回収してリサイクルするとしても、設備及び費用がかかり、経済的側面から有益ではない。したがって、プラスチックボトルは、飲料を溜めておくボトルであって、その用途が限定されるので、今日では、再使用がほとんどなされていないのが実情である。
【０００８】
ここで、発明者たちはプラスチックボトルの固有の用途以外に、プラスチックボトルに充填された流体の内容物を飲む又は飲み終えた後に、このプラスチックボトルに流体を適当に充填させてマッサージ道具として再使用することによって、プラスチックボトルの効用価値を高めることに注目した。具体的には、発明者たちは、プラスチックボトルを身体に対して叩く、加圧する、または手でボトルを揉む、又は擦り付けることにより有用なマッサージ効果を得ることのできる、すなわちマッサージ道具として再使用することができるプラスチックボトルを開発するに至った。
【０００９】
まず、本発明に至るまで発明者たちが検討した従来技術を説明する。
【００１０】
第一従来技術の類型
ブロー成形で製造された食品または飲料用のプラスチックボトルの従来技術としては、大韓民国意匠登録第１９２８８７号、第１９４５９８号及び米国意匠特許Ｄ．３６９，５５６号、Ｄ．３９５，８２６号、Ｄ．４１１，４５７号、Ｄ．４１１，７４０号、Ｄ．４４８，６７７号及び米国特許第５，４９９，７３０号などが挙げられ、これらの参考文献には、プラスチックボトルのボディ部の外周面の一部分または全体の部分に備えられた大よそダイアモンド型のパネル形状の一定パターンを有するプラスチックボトルが提案されている。
【００１１】
また、従来技術として米国特許第５，６４２，８２６号明細書には、炭酸飲料のガスが飲料から放出されるか喪失される程度を減少させる目的で、容器のボディ部の外周面にダイアモンド形状のパネルを適当に形成された、潰れることのできる容器（Ｃｏｌｌａｐｓｉｂｌｅ  Ｃｏｎｔａｉｎｅｒ）が開示されている。この容器は、ダイアモンド形のパネルに沿って折り潰れることができるようにして、容器の内部のかさを、減少するようにしたものである。
【００１２】
このような第一類型の従来技術のボトル及び容器は、ボディ部の表面にダイアモンド形状が、単純に美観を目的とするか、機械的な強度を高めるためのものであるか、または容器がうまく潰れるようにしたものであり、マッサージ効果を目的とはしていない。
【００１３】
第二従来技術の類型
ボトルまたはプラスチック容器にブラシ、櫛またはマッサージ用の突起を一体に形成した技術が提案されている。
【００１４】
たとえば、米国意匠特許Ｄ．２６４，１８１号には、ボトルのボディの外周面にブラシが一体に形成されたボトルが開示されている。米国意匠特許Ｄ．２５１，８２６号には、ボトルのボディ部の外側に各々髪手入れ用の櫛とマッサージ用の突起を一体に形成したボトルが示されている。日本の特開平１０−２４８６３４号公報には、プラスチック容器のボディ部の外周面の片方または容器のキャップに円錐型でできており、シャンプーによって泡立つ髪を掻き回して洗うと同時に頭皮に刺激を与えてマッサージ効果を得ることができる、長い脚長の突起（ｌｏｎｇ  ｌｅｇ  ｐｒｏｔｒｕｓｉｏｎｓ）を多数有した整髪容器が示されている。米国特許第３，０１１，４９９号明細書には、日本の特開平１０−２４８６３４号公報と同様に、櫛及びブラシの機能等を兼ねた多目的容器が記載されている。
【００１５】
このような第二の類型の従来技術は、髪を洗う時に、容器を頭皮に擦り付けるか加圧することのよって得られる頭皮マッサージにのみに限定された効果を有する。
【００１６】
第三従来技術の類型
米国特許第５，２８４，２７２号明細書には、マッサージ装置を具備した多目的容器及びキャップの構造が開示されているが、このマッサージ装置は、マッサージ師らがマッサージ施術に必要な香料や薬液を充填して携帯することができるようになっている。そして、容器の下部面にある半球形の突起部または尖った形状のキャップを用い、被施術者の皮膚に当てて回転させるか押すことによって、異なる二つのマッサージ効果を得ることができるようにしたものである。
【００１７】
また、大韓民国実用新案登録第７２１６４号公報には、化粧品容器兼用のマッサージ用具が、日本の特開平１１−３０９０８１号公報には、容器押付け装置が開示されている。これらは、共通して容器のボディ部の一側面に、ボディ部を片手でつかめる握りを形成し、その反対側のボディ部の他側面に、半球形のマッサージ突起を多数形成しており、前記マッサージ突起を身体に接触して擦り付けるか加圧して皮膚と接触することで摩擦効果またはマッサージ効果を得ることができるようにしたものである。
【００１８】
このような第三類型の従来技術は、いわゆる静的な（ｓｔａｔｉｃ）方式であるためマッサージ効果が制限される。
【００１９】
第四従来技術の類型
一方、大韓民国意匠登録第１４９７９０号及び大韓民国実用新案公開第９４―２６７０７号公報には、突起鍼を有したガラスボトル（ｇｌａｓｓ  ｂｏｔｔｌｅ）に関する技術が記載されている。この文献には、ガラスボトルのボディ部に尖った突起鍼を多数形成して前記ボトルを手に取るとき前記突起鍼が手の平のふさわしい地点を刺激するようにして韓国で有名な鍼の効果を得るようにしたボトルが記載されている。
【００２０】
このような第四類型の従来技術は、手でボトルのボディ部を握ることによって手を刺激する効果を得るものであって、使用者がガラスボトルを身体に叩いてマッサージ行為をする場合に、ガラスボトルの運動エネルギーはそっくりそのまま身体に伝えられるので耐えられない痛症を伴う。
【発明の開示】
【発明が解決しようとする課題】
【００２１】
本発明は、上記のような従来技術の持っている問題点を解決することができるようにしたものであって、本発明の主な目的とするところは、身体に衝撃エネルギーを伝えず吸収するようなウォータークッション効果を提供でき、効果的に痛症なしでソフトに身体をマッサージできるプラスチックマッサージボトルを提供することにある。
【００２２】
本発明の他の目的は、プラスチックボトルに満たされる流体の充填量を調節して身体に多様な形態のマッサージをすることのできる、プラスチックマッサージボトルを提供することである。
【００２３】
本発明のまた他の目的は、プラスチックボトルに充填された冷たい流体と共にボトルの打撃動作時に発生する打撃音とによって、涼しいマッサージ効果を得ることのできるプラスチックマッサージボトルを提供することである。
【００２４】
本発明のまた他の目的は、プラスチックボトルの使用中あるいは使用後に、プラスチックボトルの効用価値を向上させるようにした、プラスチックボトルを提供することである。
【００２５】
本発明のまた他の目的は、ボディ部の外周面に形成された多数の圧力マッサージ突起等が透過光線によって屈折するような、光学的作用により装飾効果を発揮することのできる、プラスチックボトルを提供することである。
【００２６】
本発明のまた他の目的は、ボトルの座屈強度及び内部耐圧をかなり改善できるプラスチックボトルを提供することある。
【課題を解決するための手段】
【００２７】
上記のような目的は、本発明に係るプラスチックマッサージボトルによって達成することができ、以下にそのマッサージの原理を説明する。
【００２８】
物体を打撃するとき、打撃による衝撃エネルギーは、打撃物の質量と速度によって定められる。マッサージ道具の場合には、身体とマッサージ道具との接触面積が小さいほど身体の局所部位に衝撃力が集中する。このような手段は、身体を傷つけたり身体に痛症の伴わないようにする機能的な態様を考慮する必要がある。即ち、通常の力によりマッサージ道具で身体に打撃を加える時に、身体に伝わる物理的な力を最小限に抑え、好ましくはマッサージ道具自体で衝撃エネルギーを吸収するようにしなければならない。
【００２９】
二つの物体が衝突する時の衝撃エネルギーは、直ちに他のエネルギーに転換される。このような転換されたエネルギーの種類としては、二つの物体の変形、破壊、音、振動などのエネルギー及び熱エネルギー等がある。
【００３０】
したがって、本発明では、プラスチックボトルで身体を打撃したときに、プラスチックボトルのボディ部に充填された流体が、瞬間的に波立ち、ボディ部が弾性的に変形するので、その結果、波立つ挙動と弾性変形との相互作用により、プラスチックボトルは、衝撃エネルギーを吸収できる。この二つのエネルギーの相互作用により、マッサージ効果は、身体に加わる初期の衝撃エネルギーによって最大になると共に、素早くエネルギーを吸収するメカニズムであるいわゆるボディ部のウォータークッション効果により、身体に衝撃エネルギーがほとんど伝わらなくなる。
【００３１】
本発明の流体を充填したプラスチックボトルは、大きな質量の流体を速く動かすことで比較的に高い衝撃エネルギーを得られるようになり、マッサージ効果を大きくする手助けとなる。特に本発明のプラスチックボトルは、熱可塑性のプラスチックボトルとして適当な弾性力を有するポリエチレンテレフタレート、ポリエチレン及びポリプロピレンの系列の熱可塑性樹脂で製造されている。
【００３２】
このように適当な弾性力を持つプラスチックボトルを用いて身体に打撃を加えマッサージ行為をする時、密閉されたプラスチックボトルの内部で流体が瞬間的に波立つことにより、動的な（ｄｙｎａｍｉｃ）流体挙動が生じ、この挙動が、ボディ部に伝えられる。このことで、ボディ部の弾性変形が繰り返され、身体に関してのマッサージのレベルを変更することができる。このときに、身体の打撃直後のプラスチックボトル内部の流体の瞬間的な波立ちによる運動エネルギーの新たな生成と、ボディ部の弾性変形エネルギーの生成と、の相互作用を通じて、ほとんどの衝撃エネルギーが身体に伝えられずプラスチックボトルのボディ部自らが吸収するので、マッサージ行為の時に、身体に痛症を伴わずに快適なマッサージ効果が得られる。これのために何よりも重要なことは、プラスチックボトルのボディ部の厚みを可能な限り薄いものにしなければならない。
【００３３】
物体の弾性力は、ひずみエネルギーによって決定される。すなわち、弾性力が大きすぎる物体、例えば硬くて強度が高い金属、ガラス、木などの物体は、物体自らの変形による衝撃エネルギーの吸収がほとんどされず、その衝撃エネルギーは、そっくりそのまま身体に伝えられ痛症を起すことになる。これはマッサージではなく鞭打ちであるので機械的な緩衝装置を備える必要がある。
【００３４】
これに従う本発明に係るプラスチックボトルのボディ部の厚みは、プラスチック材料の強度またはプラスチックボトルの容量の大きさによって若干の差異はあるが、０．１ｍｍから０．６ｍｍが適当であり、好ましくは０．１ｍｍから０．４ｍｍが適当である。０．１ｍｍの厚みに近づくほどボディ部での流体の衝撃エネルギーの吸収が、非常に良好であり、０．６ｍｍに近づくと全体として、ボディ部での流体の衝撃エネルギーの吸収が落ちる。
【００３５】
そして、ボディ部の厚みが０．６ｍｍ以上の厚さののボトルで身体を叩いてマッサージ効果を得ようとする場合には、前記ボディ部において流体の衝撃エネルギーを吸収する弾性変形が大きく落ちるので、このような動作では、マッサージ時に痛症を伴う。
【００３６】
また、ボディ部の厚みが０．１ｍｍ以下の場合には流体の衝撃エネルギーの吸収は良好であるがその反面、ボディ部の復元性が落ちるので、マッサージ効果を低下させ、さらにはプラスチックボトルの座屈強度を低下させるので、衝撃による破損の可能性が高まる。
【００３７】
このように本発明のプラスチックボトルは適当な弾性力を有し、これに従う材料力学的な弾性力の大きさは次のように定義される。
【００３８】
Ｅ＝Ｐ／ｌ２÷△ｌ／ｌ
ここで、  Ｅ：弾性率（Ｅｌａｓｔｉｃ  Ｍｏｄｕｌｕｓ）または弾性力の大きさ、Ｐ：力、ｌ２：材質の断面積、△ｌ：変形された長さ、ｌ:材質の本来の長さを示す。
【００３９】
この等式は、応力／変形率を意味し、通常的に応力と変形率に比例する範囲内の値で理解される。
【００４０】
厚みが薄いプラスチックボトルにおいて、空のプラスチックボトルに過度に力を加えて押した時に潰れこんでしまい復元されない場合がある。これは応力とひずみが比例する状態にある降伏点を超過する力が加えられたからである。
【００４１】
しかし、この時に、プラスチックボトルの内部に流体が満たされ、キャップで密閉された場合には、ボトル内部の圧力維持作用と流体の重力による圧力を持つようになるのでプラスチックボトルに過度な力を加えて押した時も変形後に、簡単に復元する効果を持つ。
【００４２】
飲料及び携帯可能な水、ジュース、アルコール、オイル及び牛乳等の殆どの各種の流体で同等に自己復元作用がみられ、これらの流体は、０．６から１．５の比重を有する。比重の大きな流体を使用した場合にはマッサージ行為の時の打撃速度と充填量の調節でマッサージ効果を自由に調節することができる。
【００４３】
上記のように流体を充填しキャップによって封をしたプラスチックボトルをマッサージ道具として使用したときの衝撃エネルギーの吸収メカニズムは次のようである。
【００４４】
（ｉ）  プラスチックボトル自体の変形エネルギー発生
（ａ）  圧力マッサージ突起の弾性変形に費やされるエネルギー
（ｂ）  ボディ部自体の変形に費やされるエネルギー
（ｃ）  上記（ａ）、（ｂ）項の変形の繰返しにより発生する振動エネルギー
（ｉｉ）プラスチックボトル内部の流体の運動エネルギー発生
（ａ）  プラスチックボトル内にある流体の運動エネルギー
（ｂ）  流体の波立つ挙動による運動エネルギー
（ｃ）  ボディ部の弾性変形による流体の動作に伴う運動エネルギー
（ｄ）  上記（ａ）、（ｂ）、（ｃ）項の同時発生による複合的な挙動により発生する運動エネルギー
本発明で上記（ｉ）（ｉｉ）項の運動エネルギーが生成されると同時に衝撃エネルギーの殆どは、相殺されてボディ部に吸収され、打撃によるマッサージ効果の繊細な機能調節は、上記（ｉ）項の圧力マッサージ突起が担うことになる。
【００４５】
また、本発明は、打撃によって発生した流体の運動エネルギーが、圧力マッサージ突起を通じ極めて瞬間的な局所圧力の増加分として転換され、身体に強く伝えられる。前記突起が、身体に接触するときに、圧力マッサージ突起は、圧縮されるので、その圧点（圧力がかかる点）は、広がる。これによって、反発力が、ボディ部を変形して、その結果、該変形力は、ボトル内部の流体の運動エネルギーに転換されることが可能である。実際に身体に伝えられる瞬間的な加圧力が小さくなることによって、痛症がなく心身爽快なマッサージ効果を得ることになる。
【００４６】
一方、発明者たちは、プラスチックボトルを手にとって打撃によるマッサージ行為を実施するのには、１ｋｇ以下のボトル重量が、適当であることが経験を通じてわかっている。したがって通常１リットル以下の容量を持つプラスチックボトルは、打撃方式のマッサージ道具として有用である。
【００４７】
容量が、１リットル以上で１．５リットル、１．８リットル、２リットルの大きなプラスチックボトルは打撃方式のマッサージ道具としては重くて不適当であるため、これらは、転がす方式のマッサージ道具として有用に用いられる。また、１リットル以下のプラスチックボトルにおいて手で揉むか両手のひらで擦り付ける動作によってマッサージ効果を得ることができる。このような加圧方式の場合にもボディ部及び圧力マッサージ突起の形状は、マッサージ効果を最大限に変化させることができる。
【００４８】
一方、打撃方式のマッサージボトルにおいて、マッサージ突起部は、首部とボディ部との間、に形成することができる。そして、マッサージ行為者は、肩部を把持することによって手の平に心地のよい刺激を与える効果を得ることができる。この時、肩部は、手でマッサージ行為者が簡単に把持するのに適当な直径と長さを持つのが好ましく、その横断面の断面積が緩やかに変化するように曲線または直線の傾斜を成す形態が好ましい。
【００４９】
また、首部とボディ部との間の肩部を長く延長させることにより、握り部として付加することができる。この握り部にマッサージ突起を共に形成することで、マッサージ行為者は、自分の手の平にマッサージ効果を得ることもできる。
【００５０】
一方、前記ボディ部から突出されている圧力マッサージ突起は、半球形、円錐形、角錐形で形成することができる。この圧力マッサージ突起等の配列間隔及び突出の高さは、材料の成形性と圧点効果を考慮しながらマッサージの時である圧力マッサージ突起が身体に圧力を加えた時、身体の皮膚がボディ部の外周面に当たらないか、または軽く接触する程度の高さなら十分である。もし、圧力マッサージ突起の突出の高さがあまりにも低い場合にマッサージをすると圧力マッサージ突起と共にボディ部の外周面に身体が接触することによって圧点によるマッサージ効果が低下する。
【００５１】
また、圧力マッサージ突起は尖っている部分を有しているほど局所的な圧点効果が増加する。圧力マッサージ突起の形態を二段または多段の火山型の構造にするほど突起形状のベース部は、容易に弾性変形でき、プラスチックボトルの衝撃エネルギーの吸収効果が増加し、マッサージ効果がより改善される。
【００５２】
そして、圧力マッサージ突起の配列間隔等をぎっしりと形成させると、ボディ部の変形及び復元性を低下させ圧力マッサージ突起が身体に痛症を伴うので、むしろマッサージ効果を落とすこともある。また、このように密に配列された突起は、圧力マッサージ突起の成形性及び脱形性に問題を起すこともある。一方圧力マッサージ突起の相互間隔が広すぎると、結局のところ圧点が分散されマッサージ効果は低下する。
【００５３】
このようにボディ部の外周面に形成される圧力マッサージ突起等は、ボトルを身体に叩くか加圧したときに身体に接触すると共に身体の表皮の多数の区別された隣接地点にマッサージ圧力を加えることができるように、形成され、配列されるべきである。この時、圧力マッサージ突起等は、５．０ｍｍから２５．０ｍｍの間隔にし、２．０ｍｍから１０．０ｍｍの突出の高さで形成するのが好ましい。また、肩部に形成されるマッサージ突起（指圧突起）も、ボディ部の圧力マッサージ突起の間隔と高さと同等のものが形成されるのが好ましい。
【００５４】
一方、ブロー成形で作るプラスチックボトルを製造するために、製造されるボトルの大きさ、形状にあわせて、２分割、３分割、又は多分割の金型が用いられる。２分割の金型または３分割の金型を用いてボディ部に形成された圧力マッサージ突起を成形するために、金型の設計時には、圧力マッサージ突起の形状、高さ及び角度は、考慮すべきである。さらに、ボディ部の金型の分割ラインの近傍では圧力マッサージ突起を形成しないことによって該突起の成形性、ボトルの脱形性をさらに満足することができる。
【００５５】
一方、上記１リットル以下の容量を持つ打撃方式のマッサージのプラスチックボトルに満たされる流体の量は、プラスチックボトルの内部の体積３０％から９０％程度が好ましい。これは流体量が３０％以下となると、流体の挙動による衝撃エネルギー量が小さすぎ、流体量が、９０％以上になると、相対的に空気圧縮量が少なくなり、またプラスチックボトル自体の剛性が大きくなる。この場合には、圧力マッサージ突起は、本来の役割を果たさずに、身体に加わる衝撃エネルギーが大きくなり、使用者に痛症及び不快感を引き起こす。
【００５６】
一方、プラスチックボトルを転がす方式のマッサージ道具として使う場合には、プラスチックボトルに満たされる流体量は、プラスチックボトルの内部体積を１００％または１００％近く満たすのが好ましい。これは、プラスチックボトルを人の表皮上に転がす行為でマッサージを遂行するため、プラスチックボトル内で流体が満たされていない空間があればプラスチックボトルを加圧して転がす時に、潰れが生じマッサージを円滑に遂行することができなくなる。
【００５７】
同じく前述したように手で揉んだり両手の平を擦り付ける動作によってマッサージされる場合も、プラスチックボトルに流体を体積比で１００％近く満たすのが好ましい。
【００５８】
上記のような理論的な背景の基づいて、本発明に係るマッサージボトルは、キャップによって開放及び閉鎖される注入口を有した首部と、該首部から延長される肩部と、底部と、ボディ部と、を含むプラスチックマッサージボトルであって、該ボディ部は、前記肩部と前記底部を相互連結し、前記ボトルの動きに呼応して運動エネルギーを発生することが可能な流体を少なくとも部分的に充填し、前記マッサージボトルが身体に対して叩かれまたは加圧されたときに前記ボディ部の弾性変形が可能な程度十分に薄い厚みであって、平常時に前記ボトルの構造的な形状を保持できるほど十分に厚い厚みを有しており、前記ボトルが身体に対して叩かれ又は加圧されたときに、前記身体に接触して、前記身体の多数の区別された隣接地点にマッサージ圧力を加えることが可能な形状及び配列からなる圧力マッサージ手段を含む、ことを特徴とする。
【００５９】
本発明のほかの目的及びその態様は、添付した図面を参照することで以下に示す実施形態によりその詳細が明らかになるであろう。
【発明を実施するための最良の形態】
【００６０】
以下、添付した図面を参照しながら本発明の好ましい実施形態等を詳細に説明する。
【００６１】
以下に示す詳細な説明はその例を示すために提供されるものであって、限定した方法として解釈すべきでない。
【００６２】
図１ａから図１ｄは、本発明の実施形態に係るプラスチックマッサージボトルを示したものである。
【００６３】
例示として、上記図１ａから図１ｄに示したプラスチックボトル１０Ａ、１０Ｂは、０．５リットルの容量を有し、０．２ｍｍのボディ部の厚みを有したボトルである。
【００６４】
図１ａに示した図面符号１０Ａは、本発明に係るプラスチックボトルの全体を表す。前記プラスチックボトル１０Ａはキャップ３０により開放及び閉鎖される注入口１２ａを有した首部１２と、この首部１２から延長される肩部１４と、底部１８と、肩部１４と底部１８を相互連結し、ボトル１０Ａの動きに呼応して運動エネルギーを発生することが可能な流体を少なくとも部分的に充填したボディ部を含む。
【００６５】
ボディ部１６は、プラスチックマッサージボトル１６Ａが身体に叩かれまたは加圧されたときに前記ボディ部の弾性変形が可能な程度の小さい厚みであって、平常時に前記ボトルの構造的な形状を保持できる程度の大きい厚みを有している。多数の圧力マッサージ突起２０が、ボディ部１６の外周面から突出している。圧力マッサージ突起２０は、圧力マッサージ手段としての機能を果たし、ボトル１０Ａが身体に対して、叩かれ、または、加圧されたときに、前記身体に接触して、区別された隣接地点にマッサージ圧力を加えることが可能な形状及び配列からなる。図面符号１２ｂは、ねじ部と共に首部１２の下部に形成され、ボトル開口部を開閉するためのキャップ３０と協働するように適合されたキャピングフランジ（ｃａｐｐｉｎｇ  ｆｌａｎｇｅ）を表したものである。
【００６６】
図１ａに示した圧力マッサージ突起２０は半球形を有しており、図１ｂは円錐形の圧力マッサージ突起２０を有している。図１ｃ及び図１ｄのプラスチックボトル１０Ｂには、ボディ部１６に半球形と円錐形の圧力マッサージ突起２０が形成されると共に肩部１４の外周面に半球形または円錐形の多数のマッサージ突起１４ａが一体でさらに形成されている。
【００６７】
前記プラスチックボトル１０Ａ、１０Ｂは熱可塑性樹脂の材料で製造されるものであり、公知のホットパリソン法（ｈｏｔ  ｐａｒｉｓｏｎ  ｍｅｔｈｏｄ）またはコールドパリソン法（ｃｏｌｄ  ｐａｒｉｓｏｎ  ｍｅｔｈｏｄ）を選択してブロー成形によって製造される。即ち、ホットパリソン法は、熱可塑性プラスチック材料を射出成形して形成した予備の成形物（ｐｅｒｆｏｒｍ）を完全に固化させず高温状態で延伸ブロー成形によりプラスチックボトルを製造することである。コールドパリソン法は熱可塑性プラスチック材料を射出成形して一応冷却固化させた予備の成形物をブロー成形の直前に再び加熱し延伸ブロー成形してプラスチックボトルを製造することである。
【００６８】
本発明のプラスチックボトル１０Ａ、１０Ｂの圧力マッサージ突起２０は、図２に示したように、ボディ部１６の外周面１６ａから突出し、互いに同等な厚みを有している。プラスチックボトル１０Ａ、１０Ｂの内部に充填された流体が、ボディ部１６の内部で波打つときに、ボディ部１６は、弾性変形をして、素早く復元することができるように、前記最小限の厚みを有している。
【００６９】
これによる前記ボディ部１６の厚みは、ＰＥＴ、ＰＥ、ＰＰなどのプラスチック材料の強度特性とプラスチックボトル１０Ａ、１０Ｂの容量によって若干の差異はあるが、０．１ｍｍから０．６ｍｍが適当である。さらに、好ましくは、ボディ部の厚みは、０．１ｍｍから０．４ｍｍであり、この範囲においてボディ部１６は、かなり良好に衝撃エネルギーの吸収ができる。
【００７０】
図３は本発明のプラスチックボトル１０Ｂの例による作用状態を示したものである。図３を参照すると、手４０で肩部１４の周りを把持して、たとえば、マッサージしようとする身体５０の腕などの所定の範囲に打撃を加えるとき、プラスチックボトル１０Ｂの打撃を受けたボディ部１６が、弾性変形して、内部空間の方を向いて弓形に曲がる。これと共に圧力マッサージ突起２０の各頂点は、瞬間的に増加した圧力を、高いエネルギーのマッサージ与えるべき、身体の局所に加えられる。また、図４のように、圧力マッサージ突起２０の加圧された頂点が、身体に対して集中した反発力にために、圧縮されて広がる。加えて、打撃時に、ボディ部１６の変形手段によって身体に加えられた衝撃エネルギーは、プラスチックボトル１０Ｂに戻り、その結果として衝撃エネルギーは、プラスチックボトル１０Ｂの内部の流体６０の運動エネルギーに転換され、プラスチックボトル１０Ｂで次第に吸収され、使用者は快適なマッサージを楽しめるようになる。
【００７１】
上記のように構成された本発明のプラスチックボトル１０Ａ、１０Ｂは、主に食品または生水を含む各種の飲料を充填して製品として販売するようになる。
【００７２】
ここで、プラスチックボトル１０Ａ、１０Ｂに充填される内容物は、飲料としてコーラ、炭酸水などの炭酸飲料、持運び可能な水、果汁飲料、混合飲料、スポーツ飲料、牛乳、ビール、焼酎、濁り酒等が含まれ、食品添加物として醤油、食酢、食用油、マヨネーズ、ケチャップ等が含まれる。また、胡麻、澱粉、唐辛子粉等の食品類が含まれる。
【００７３】
もし、前記のプラスチックボトル１０Ａ、１０Ｂの内容物を持運び可能な水とした時に使用者はこの水をある程度飲んで、キャップ３０を密閉した後、マッサージ道具としてボトルを使用することができる。生水を全部飲んだ後には、使用者は、このプラスチックボトル１０Ａ、１０Ｂに適当量の水を再び適当量満たして、マッサージ行為をすることができる。コーラなどの炭酸飲料の場合には、プラスチックボトル１０Ａ、１０Ｂを振ることで、その内部圧力が増加する。このように、使用者が、飲んだ後には水を適当量満たしてからマッサージ行為をしなければならない。類似の場合である唐辛子粉、マヨネーズ、又はケチャップの場合においても、もしボトル内にこれらが無くなったら、流体ではないので水の流体を満たしてマッサージ道具として使用することができよう。
【００７４】
このように、打撃によるマッサージ行為をする場合のプラスチックボトル１０Ａ、１０Ｂに満たされた流体は、プラスチックボトル１０Ａ、１０Ｂ内の体積の３０％から９０％程度が好ましい。この流体体積が３０％以下となると、流体挙動による衝撃エネルギー量が小さく、十分なマッサージ効果が得られない。また流体体積が、９０％以上になると、が打撃の瞬間に圧縮される空気量が少なくなり、プラスチックボトル１０Ａ、１０Ｂ自体の剛性が大きくなる。
【００７５】
このような場合に、圧力マッサージ突起２０の挙動量が小さくなると同時に衝撃エネルギーがあまりにも大きくなり、マッサージの時に痛症及び不快感が生ずる。
【００７６】
もし、プラスチックボトル１０Ａ、１０Ｂに流体を満たしていない空の状態であって、かつキャップ３０により密閉させた状態であるときに、打撃によるマッサージ行為をすると、ぽんぽんという打撃音が生じ、ボディ部１６を含む圧力マッサージ突起２０の変形がほとんどない。このような場合に、プラスチックボトル１０Ａ、１０Ｂの容量が大きいならば、痛症と不快感を感じるようになり、マッサージではなく鞭打ちになってしまう。このことは反対に、プラスチックボトル１０Ａ、１０Ｂの容量が小さいものは、そのもの自体が軽いため、十分なマッサージ効果を得ることができない。
【００７７】
上記のように流体が満たされたプラスチックボトル１０Ａ、１０Ｂの使用によりマッサージ効果を得るためには、手４０でボディ部１６と首部１２の間の肩部１４の近傍を使用者が把持し、プラスチックボトル１０Ａ、１０Ｂで、身体を打撃することになる。この時、首部１２の下部に形成されたキャピングフランジ１２ｂが、手で肩部１４を把持するとき支える役割をして、使用者がより安定した動作でマッサージをすることができる。
【００７８】
このようにプラスチックボトル１０Ａ、１０Ｂのボディ部１６で身体に打撃を加えマッサージ行為をするときに、キャップで密閉したプラスチックボトル１０Ａ、１０Ｂの内部で発生する流体６０の動的な挙動は、ボディ部１６に伝達される。このボディ部１６が弾性変形を繰り返しながら、このボディ部１６の圧力マッサージ突起２０で身体を叩いてマッサージ効果を得ることになる。この時、プラスチックボトル１０Ａ、１０Ｂの内部の流体の瞬間的な波立ちが発生することによる運動エネルギーの相互作用によって、衝撃エネルギーが全体として身体に伝わらず、エネルギーの実質的な部分は、ボディ部１６自らが吸収する。マッサージ行為の時に身体に痛症を伴わずに快適なマッサージ効果を得ることができるわけである。
【００７９】
一方、前記プラスチックボトル１０Ａ、１０Ｂに１００％または１００％近く流体が満たされている場合には、他の形態のマッサージをすることができる。
【００８０】
即ち、飲料製品を買って飲んでいない状態ではプラスチックボトル１０Ａ、１０Ｂに流体内容物が１００％満たされている。この時プラスチックボトル１０Ａ、１０Ｂ内に空きの空間がないためにボディ部１６による弾性変形は、ほとんど起らない。ボディ部１６に外力を加えても、はちきれそうな状態で維持する。ボディ部１６を両手で擦って回すかまたは手で揉むかまたはマッサージしようとする身体に当てて転がすことで、圧力マッサージ突起２０が手や身体を刺激してマッサージ効果を得ることになる。この時にもボディ部１６のわずかな若干の弾性変形及びそれに続く復元によりウォータークッション効果が発生するので、気持ちよくマッサージを行うことができる。
【００８１】
上記のようにプラスチックボトル１０Ａ、１０Ｂに充填された流体量及びボトルの打撃速度を調節する結果として、使用者は、自分に合う適当な打撃強度でマッサージ効果を楽しめる。または、擦り付けるか或いは転がして、指圧（手の平の刺激を与える）及びマッサージを楽しめる。
【００８２】
そして、身体に打撃を加えるマッサージの場合には、プラスチックボトル１０Ａ、１０Ｂの容量が１リットル以下であることが手首などの疲れを考慮したときに、適当である。手で擦って回すかまたは揉むかまたは足裏、腰、膝等に転がしてマッサージをする場合にはプラスチックボトル１０Ａ、１０Ｂの容量に制限を置かない。違う観点から見ると、上記のようにボディ部１６に多数の圧力マッサージ突起２０を形成することで、透明なプラスチックボトル１０Ａ、１０Ｂの外観にいわゆる”クリスタル効果”のようなに意匠的な美観を有することになる。
【００８３】
例えば、ＰＥＴボトルは一般に優れた透明性を持っているが、同じく優れた透明性を発揮するガラスボトルに比べると、ＰＥＴボトルは単純に透明できれいな状態だけであって、ガラスボトルのような固有の透過光線の屈折によるクリスタル効果は発揮できず、そのため視覚的変化が不足している。
【００８４】
ＰＥＴボトルにおいてクリスタル効果が低い原因の一つに、ＰＥＴボトルが２軸延伸ブロー成形（ｂｉａｘｉａｌ  ｓｔｒｅｔｃｈ  ｂｌｏｗ  ｍｏｌｄｉｎｇ）で製造されているため、その厚みが薄くなり、そのため透過光線の屈折を十分に得られないことが挙げられる。
【００８５】
このようなＰＥＴボトルに、より明確なクリスタル効果を提供しようとＰＥＴボトルのボディ部の厚みを厚くした改善が考えられる。しかし、ＰＥＴボトルの厚みを厚くすると、製品を成形するのに必要なＰＥＴ樹脂量が増加して、それによる製品単価が高くなってしまい、２軸延伸ブロー成形技術には、極めて不適当である。２軸延伸ブロー成形なしに、十分な透明性及びボトルの軽量の利点を得ることができなくなる。
【００８６】
本発明プラスチックボトルによれば薄いボディ部１６の外周面１６ａに多数の圧力マッサージ突起２０が形成されることで、その圧力マッサージ突起２０は、透過光線が屈折することで強い光学的な作用を提供する。プラスチックボトル１０Ａ、１０Ｂは、クリスタル効果を持つようになることでプラスチックボトル１０Ａ、１０Ｂに装飾的な効果を得るようになる。このように本発明のクリスタル効果を持つ、食品及び飲料用プラスチックボトル１０Ａ、１０Ｂは、消費者に製品外観に好感を与えるようになり、一歩進んで店の陳列台に置かれた製品に消費者の目を集中させることができる。
【００８７】
また他の観点で、ボディ部１６に形成された圧力マッサージ突起２０によってボディ部１６の剛性を確保することができる。特に厚みが薄いボディ部１６に対して座屈強度及び耐圧強度を確保するのに、前記圧力マッサージ突起２０が、この上なく大きい影響を及ぼすようになる。これによってボディ部１６の直径方向に作用する外力に対してボディ部１６は自分の形状維持（ｓｅｌｆ−ｓｔａｎｄｉｎｇ）能力を持つようになる。
【００８８】
また、使用者がプラスチックボトル１０Ａ、１０Ｂの使用のためにボディ部１６を手に把持して、指で加圧しても陷沒変形が容易に起きなくなり、使用者は安定した状態で飲み物を飲むことができるようになり、プラスチックボトル１０Ａ、１０Ｂの安定して取り扱うことができる。
【００８９】
図５、図６及び図７は、本発明のラベル付着領域を持つボディ部の実施形態を示すプラスチックボトルの正面図である。
【００９０】
一般的に、商品名や製造元などが表示されたデザインを表示するために公知のフィルムラベルまたは紙ラベルなどが、食品や飲み物用プラスチックボトルのボディ部またはボディ部を含む肩部に、付着されている。また、ある場合には、このようなデザインは、ボディ部自体に、直接的に、印刷されている。本明細書で’ラベル付着領域’という用語は、プラスチックボトルのボディ部に表示する手段として、フィルムラベルまたは紙ラベルを付着すること、若しくは、ボディ部自体に印刷することを述べるために用いられる。
【００９１】
図５に示した実施形態のように、プラスチックボトル１０Ｃのボディ部１６の上部にラベル付着領域１６ｂが形成されて、このラベル付着領域１６ｂを除いたボディ部１６の外周面に圧力マッサージ突起２０が形成されている。
【００９２】
上記のように圧力マッサージ突起２０がボディ部１６の全体に形成さなくても、プラスチックボトル１０Ｃは、図１ａから図１ｄに示したボディ部１６の全体に圧力マッサージ突起２０を形成したことと同様に作用効果を得ることができる。
【００９３】
すなわち、使用者は、手でボディ部１６と首部１２の間の肩部１４を適当に把持するので、使用者が、簡単にマッサージできるように、圧力マッサージ突起２０は、肩部１４から遠くに形成されている。一方、図１ｄと同等な形態として図５でもプラスチックボトル１０Ｃの肩部１４に多数の指圧突起１４ａを形成することで、打撃によるマッサージ効果とともに、指圧効果も同時に得ることができる。前記肩部１４は首部１２とボディ部１６の間で、使用者が、把持するのに適当な直径と長さを持つことが好ましく、その横断面の断面積が緩やかに減少するように曲線または直線のなだらかな傾斜を成す形態が好ましい。
【００９４】
また、上記図５で肩部１４の形状がドーム（ｄｏｍｅ）形状をしているが、これを変形させて球（図示しない）のように丸い形状やラグビーボールのように楕円区形状をしてより安定感を持って手を把持することができる。このような形状は、肩部１４とボディ部１６を繋ぐ、深くて広い溝１６Ｃを備えることで、十分に実現される。
【００９５】
図６は、これまでと異なったデザインを有したプラスチックボトル１０Ｄの他の実施形態を示しており、ラベル付着領域１６ｂは、ボディ部１６の上部に形成されており、ボディ部１６の括れている腰部１６ｄの外周面に圧力マッサージ突起２０が形成されている。これは身体において首、腰、肩、腕、膝などの大部分の身体が、丸みを帯びているので、括れている腰部１６ｄは、身体に接触させる圧力マッサージ突起２０の加圧ポイントを増加させる手助けとなり、マッサージ効果を高めることができる。
【００９６】
一方、図６に示したプラスチックボトル１０Ｄは、充填後プラスチックボトル中にかかる圧力が常圧より高いものとしてコーラなど主に炭酸飲料用で使われる耐圧（ｐｒｅｓｓｕｒｅ  ｒｅｓｉｓｔａｎｃｅ）ボトルを例示したものである。また、公知の花びら模様の（ｐｅｔａｌｏｉｄ）凹んだ底壁１８ａが、底部１８の外周面の壁に形成されている。上記のように底壁１８ａを有した底部１８は、３分割金型により成形されて、底壁１８ａの周りには、製品との脱形性を確保することを考慮して、圧力マッサージ突起２０を形成しないことが好ましい。一方、図６のプラスチックボトル１０Ｄにも、図１ｄに示したようなものと同等に肩部１４に指圧突起１４ａが、形成されている。
【００９７】
図７は本発明を耐熱（ｈｅａｔ  ｒｅｓｉｓｔａｎｃｅ）ボトルとして改良して適用した例を示しており、これは圧力及び応力が内容物を充填する工程の間、及びその後に、ボトル内壁に熱応力が加わり、熱抵抗がプラスチックボトルの内壁に作用する。プラスチックボトルに高温流体を充填して密封すれば、初期圧力が発生するようになって、増加した初期圧力がプラスチックボトルに加えられるようになる。流体内容物及びキャップの下部の空気が冷却されることによって熱収縮が発生し、その結果プラスチックボトルの体積が、部分的に減少する。これを勘案して公知されたように、この体積減少を補うために、ボディ部１６の外周面にわたってランド領域１６ｅ（ｌａｎｄ  ａｒｅａ）に沿って真空パネル１６ｆが形成される。
【００９８】
このような例において、前記各真空パネル１６ｆに多数の圧力マッサージ突起２０を形成して、真空パネル１６ｆを通じてマッサージ効果を与えるプラスチックボトル１０Ｅが提供されるものである。
【００９９】
図７に示したプラスチックボトル１０Ｅの場合には、ラベル付着領域１６ｂは、公知のラベルを付着するために、ボディ部１６の上部に位置している。さらに、肩部１４の高さが低い位置に形成されており、この場合には使用者は、肩部１４とともに胴部１６の上部を把持して打撃によるマッサージをするようになる。一方、前記耐熱ボトルに適用されたプラスチックボトル１０Ｅのボディ部１６の横断面は、６角形を成しているが、耐熱ボトル横断面が４角形の場合であっても圧力マッサージ突起は等しく形成することができる。
【０１００】
一方、図示はしないが、牛乳炭酸飲料などに使われる耐熱圧（ｈｅａｔ  ａｎｄ  ｐｒｅｓｓｕｒｅ  ｒｅｓｉｓｔａｎｃｅ）ボトルの場合には、ボディ部の底を丸くするかまたは楕円形にしており、ボトルの直立を保障するためにポリエチレンまたはポリプロピレンで形成された公知のベースカップ（ｂａｓｅ  ｃｕｐ）を有している。このような場合にも、ボディ部１６に圧力マッサージ突起２０が形成されており、この結果としてマッサージ効果をプラスチックボトルで与えることができる。
【０１０１】
このように、あらゆる種類のＰＥＴボトルにおいて、すなわち常圧ボトル、耐圧ボトル、耐熱圧ボトル、耐熱ボトルにおいてボディ部１６の所定部位に圧力マッサージ突起２０を形成することでマッサージ機能を有することができるのである。
【０１０２】
図８は本発明のプラスチックボトルに握り部を付加した改良例を示したものである。これは打撃によるマッサージ行為の間に、使用者が、肩部を把持することで、より安定した握りを得て、手首の疲れを減らすことができるように、握り部１３が、肩部１４と首部１２の間で延長している。さらに、握り部１３の外周面に多数の指圧突起（加圧されるマッサージ突起）１３ａを形成している。
【０１０３】
一方、図８では、ボディ部１６全体の外周面に圧力マッサージ突起２０を形成したものを例示したが、ボディ部１６の上部または肩部１４に、ラベル付着領域を形成してもよい。
【０１０４】
図９ａ、図９ｂ及び図９ｃはボディ部に形成された圧力マッサージ突起の他の改良例を示したものである。図９ａでは、多数の圧力マッサージ突起２０が、プラスチックボトル１０Ｇのボディ部１６の外周面に’ハート’模様で配列されている。図９ｂでは、多数の圧力マッサージ突起２０が、プラスチックボトル１０Ｈのボディ部１６外周面に、‘ダイアモンド型’模様で配列されている。また図９ｃでは、多数の圧力マッサージ突起２０が、プラスチックボトル１０Ｊのボディ部１６外周面に’ＷＡＴＥＲ’という文字の形で配列されている。
【０１０５】
上記のようにボディ部１６に形成される圧力マッサージ突起２０を、デザインされた模様、文字や図形、シンボルその他マークなどの形態として表現することによって、プラスチックボトル１０Ｇ、１０Ｈ、１０Ｊの製品に対するマッサージ効果とともにデザイン及び広告効果を高めることができる。
【０１０６】
図１０ａ、図１０ｂは本発明のプラスチックボトルのボディ部の改良例を示したものである。図１０ａと図１０ｂに示したプラスチックボトル１０Ｋ、１０Ｌは、０．１８から０．３６リットル位の小容量を有している。図１０ａのプラスチックボトル１０Ｋは、円筒形断面であるが、ボディ部１６の外形が、だるま形状（ｔｕｍｂｌｉｎｇ  ｄｏｌｌ  ｓｈａｐｅ）をしており、このボディ部１６の下部の外周面に圧力マッサージ突起２０を多数で形成している。図１０ｂのプラスチックボトル１０Ｌは、円筒形の断面であるが、この断面は、ボディ部１６の中央部位を中心として上下方向に進むにつれてその直径が小さくなるような形状であり、ボディ部１６の外周面に圧力マッサージ突起２０が形成されている。
【０１０７】
上記のような小容量のプラスチックボトル１０Ｋ、１０Ｌは携帯が容易であり、打撃によるマッサージ行為も可能である。同時にボディ部１６を手でもむ又は指圧するのに有効である。手のひらを加圧する時も、プラスチックボトル１０Ｋ、１０Ｎは、ボディ部１６が弾性変形及び復元することでウォータークッション効果が生じる。
【０１０８】
そして前記プラスチックボトル１０Ｋ、１０Ｌは０．１８から０．３６リットル位の小容量として携帯が容易で、はじめからマッサージを目的としたプラスチックボトル製品で製造して販売することもできる。この時にはプラスチックボトル１０Ｋ、１０Ｌを購入した後、使用者がプラスチックボトル１０Ｋ、１０Ｌにマッサージ補助流体を満たして使えば良い。
【０１０９】
図１１ａから図１１ｄは本発明の圧力マッサージ突起の形状及び配列を例示した概略的正面図である。
【０１１０】
図１１ａは、ボディ部１６の外周面に、半球型の圧力マッサージ突起２０が横列と縦列に沿って碁盤形態で規則的な間隔で配列されているものを示している。図１１ｂは、ボディ部１６の外周面に、円錐型の圧力マッサージ突起２０が斜線方向に沿って配列されているものを示しており、該ボトルは、碁盤配列に比べて相対的に単位面積当たり数多くの圧力マッサージ突起２０を形成することができる。図１１ｃは、斜線方向に沿って四角形の角錐型圧力マッサージ突起１２０がボディ部１６の外周面に配列されているものを示しており、図１１ｄは、三角形の角錐型圧力マッサージ突起２２０がボディ部１６の外周面に配列されているものを示している。
【０１１１】
図１２ａ及び図１２ｂは図１ａ及び図１ｂに示した本発明の実施実施による半球型及び円錐型圧力マッサージ突起２０を拡大した断面図を示したものである。
【０１１２】
図１２ａに示した圧力マッサージ突起２０は、半球型としてボディ部１６の外周面１６ａから一定の高さに突出しており、柔らかいマッサージ効果を使用者に提供するようになる。この半球型の圧力マッサージ突起２０は、該半径型の圧力マッサージ突起の始まり部分２０ａがラウンド処理さているので、マッサージ時に、上記部分２０ａでの局所的な疲労によるボディ部１６の破損を防止するようになる。
【０１１３】
図１２ｂにおいて、圧力マッサージ突起２０は、円錐形状を有しており外周面１６ａと円錐型の圧力マッサージが合わさった部分２０ａは、ラウンド処理されて、突起２０の角頂点２０ｂは、尖ったようではなくて適当なラウンドに処理されるので、打撃マッサージのときに、身体に痛症を伴わなくなる。
【０１１４】
前記圧力マッサージ突起２０は、マッサージ効果と成形性及び脱形性を考慮してボディ部の外周面上に、５．０ｍｍから２５．０ｍｍの間隔で、２．０ｍｍから１０．０ｍｍの間の突出高さで形成されることが望ましい。圧力マッサージ突起２０は、半球型、円錐型及び角錐型を有してもよく、半球型の圧力マッサージ突起は、より柔らかいマッサージ効果を得ることができ、円錐型及び角錐型の圧力マッサージ突起は局所的なマッサージ効果を得ることができる。
【０１１５】
図１２ｃは、図１２ｂの改良例を示しており、ボディ部１６に形成される圧力マッサージ突起２０が、ボディ部１６の外周面１６ａから異なった高さを有している。この圧力マッサージ突起２０の高さに違いをつけることで、打撃マッサージの時に、圧点に異なる刺激を与えることができる。すなわち、高さが高い圧力マッサージ突起２０は、圧点刺激が大きくなり、相対的に低い圧力マッサージ突起２０は、圧点の刺激が小さくなって圧点刺激の強さを調節することができるのである。
【０１１６】
図１２ｄは、圧力マッサージ突起のまた他の改良例を示しており、ボディ部１６の外周面１６ａに形成された円錐型の圧力マッサージ突起３２０が、その中央に環状の段付部２０ｃを有している。
【０１１７】
上記のように環状の段付部２０ｃを持つ圧力マッサージ突起３２０は、衝撃エネルギー吸収が良いので、痛みを伴うことなく、所望のマッサージの作用効果を得るには有効である。そして、この環状段付部は、透過光線の屈折を、より良好にさせて、プラスチックボトルのクリスタル効果をもっと高めることができる。
【０１１８】
図１２ｅは、圧力マッサージ突起のまた別の改良例を示しており、圧力マッサージ突起４２０の突出端部の中央に挿入凹溝２０ｄが形成され、該凹溝２０ｄに円錐形状の弾性キャップ２２が挿入されるので、ゴムまたはウレタンまたは他の合成樹脂の材料でクッション効果及び弾性復元能力を得ることができる。圧力マッサージ突起４２０に取付けられた弾性キャップ２２は、打撃マッサージをする時に、柔らかいマッサージ効果を得ることができる。
【０１１９】
図１３から図１４ｅは、本発明のさらなる実施形態によるプラスチックボトルを示したものである。図１３及び図１４ａに示したプラスチックボトル１０Ｍは、ボディ部１６の外周面１６ａから内部空間１６ｇの方に向けて一体に形成された多数の高弾性部２３が形成されており、そして、この高弾性部２３の中央でボディ部１６の外周面１６ａの外側に向けて突出した圧力マッサージ突起５２０が形成されている。この高弾性部２３と圧力マッサージ突起５２０は、二段の火山形状の圧力マッサージ手段を形成している。
【０１２０】
上記のように高弾性部２３を持つ圧力マッサージ突起５２０は、身体を打撃してマッサージをする時に、圧力マッサージ突起５２０の圧縮作用力を良くしてマッサージ効果を高めることができる。特に、前記圧力マッサージ突起５２０が身体に打撃される瞬間、高弾性部２３に圧縮力により弾性的に曲げ変形を起して、圧力マッサージ突起５２０の圧縮力が高弾性部２３に伝達される。よって、プラスチックボトル１０Ｍは、痛症なしに快適でより力強いマッサージ効果を得ることができる。
【０１２１】
一方、図１４ｂに示すように、いわゆる（多段の）火山型の構造の圧力マッサージ突起６２０の胴中間部に、環状段付部２０ｃを形成することができる。図１４ｃに示すように高弾性部２３を持つ圧力マッサージ突起７２０の突出端部の中央に挿入凹溝２０ｄを形成し、該凹溝２０ｄに製造された円錐型の弾性キャップ２２を挿入して、ゴムまたはウレタンまたは他の合成樹脂の材料でクッション効果及び弾性復元能力を得ることができる。また、図１４ｄに示すようにクッション及び弾性復元能力を得るために、ゴムまたはウレタンまたは他の合成樹脂の材料で製造されており、円錐殻型の弾性キャップ２４を圧力マッサージ突起８２０に配置することができる。弾性キャップ２２、２４により身体に打撃してマッサージをする時、より柔らかいマッサージ効果を得ることができる。
【０１２２】
円錐型圧力マッサージ突起７２０、８２０に弾性キャップ２２、２４を挟んで組立てる場合に、意図せずに抜ける心配があるので、弾性キャップ２２、２４は、円錐形のマッサージ突起７２０、８２０に接着剤で付着することを考慮する必要がある。
【０１２３】
弾性キャップ２２、２４は、透明な材質または多様な色相で構成されることができ、さらにプラスチックボトルの外観デザイン効果を増大させることができる。
【０１２４】
そして、円錐型の圧力マッサージ突起５２０の代りに図１４ｅに示したように圧力マッサージ突起５２０を半球型で構成することができる。
【０１２５】
上記のような実施形態の場合に圧力マッサージ突起５２０、６２０、７２０、８２０に高弾性部２３を形成することで圧力マッサージ突起５２０、６２０、７２０、８２０の圧縮作用を増大させて、たとえば衝撃エネルギーの吸収を良好にするばかりでなく前記高弾性部２３の立体的形状によって圧力マッサージ突起５２０、６２０、７２０、８２０とともに透過光線の屈折を向上させプラスチックボトル１０Ｍのクリスタル効果をより高めることができる。
【０１２６】
そして、上記のように高弾性部２３が、ボディ部１６の内部空間１６ｇに向かって突出形成されて、高弾性部２３が、圧力マッサージ突起５２０、６２０、７２０、８２０に定着され、圧力マッサージ突起５２０、６２０、７２０、８２０のボディ部１６の外側の突出高さを図１ａから図１ｄに示した圧力マッサージ突起２０に比べて相対的に低くすることができる。
【０１２７】
図１５から図１７は、本発明のまた他の実施形態によるプラスチックボトルを示したものである。図１５から図１７に示した実施形態は、図１ａから図１ｄ及び図１３に示した実施形態の構成と同等で、ただ異なるものは圧力マッサージ手段である。したがってこの圧力マッサージ手段のみ以下に説明する。
【０１２８】
図示されたようにプラスチックボトル１０Ｎのボディ部１６に形成される圧力マッサージ突起９２０は、四角形状の角錐型圧力マッサージ突起９２０である。この多数の圧力マッサージ突起９２０は、横列と縦列の方向に連続した深い谷部２０ｅ、２０ｆを形成している。
【０１２９】
上記で圧力マッサージ突起９２０の角度は、鋭角であればあるほど、局所的な圧点形成によるマッサージ効果が増加する。圧力マッサージ突起の谷部２０ｅ、２０ｆから頂点２０ｂの高さは、好ましくは、２．０ｍｍから１０ｍｍの範囲であり、圧力マッサージ突起９２０の間隔は、５．０ｍｍから２５．０ｍｍであり、このことで、圧力マッサージ突起９２０が身体に圧力を加えて押されられたときに、マッサージ効果を得ることができる。
【０１３０】
圧力マッサージ突起９２０の頂点２０ｂは、ボディ部１６の外周面１６ａと同一平面上にある。しかし、デザインによって圧力マッサージ突起９２０を外周面１６ａからちょっと外方へ突出した形態にしてもよい。そして圧力マッサージ突起９２０を成すための谷部２０ｅ、２０ｆは、垂直方向と水平方向に配列され、角錐型の圧力マッサージ突起は、連続的に傾斜した谷部に沿って配列される。
【０１３１】
一方、図１ｄに示したものと同等に、図１５のプラスチックボトル１０Ｎの肩部１４にマッサージ突起１４ａを円錐型で形成することができ、図１ｃのように半球型で形成することもできる。また圧力マッサージ突起９２０のような形態にして連続した角錐型の指圧突起を形成することができ、ボディ部１６の上部にラベル装着領域１６ｂを形成することができる。一方、上記図１５に示した圧力マッサージ突起９２０の胴中間部位に図１２ｃに示したような、段付部を形成して圧力マッサージ突起９２０の圧縮作用を良くすることもできる。
【０１３２】
図１８ａから図１９ｂは、本発明のまた他の実施形態によるプラスチックボトルを示したものである。図１８ａから図１９ｂに示した実施形態は、図１ａから図１ｄ、図１３及び図１５に示した実施例の構成と同等で、ただ異なるものは圧力マッサージ手段でありこの点のみを以下に説明する。
【０１３３】
図１８ａに示したようにプラスチックボトル１０Ｐのボディ部１６に形成される圧力マッサージ突起１０２０は、クッション効果及び弾性復元能力を得るために、ゴムまたはウレタンまたはその他の合成樹脂の材料で製造されて、ボディ部１６の外周面１６ａに付着している。
【０１３４】
また、図１８ｂのプラスチックボトル１０Ｑは、ボディ部１６の外周面１６ａにクッション効果及び弾性復元能力を有した、圧力マッサージ突起１０２０を設けて、これと共にクッション効果及び弾性復元能力を得るために、ゴムまたはウレタンまたは他の合成樹脂の材料で別途製造された指圧突起１１４ａを肩部１４の外周面に多数付着して構成したものである。
【０１３５】
上記のように構成されたプラスチックボトル１０Ｐ、１０Ｑを利用して身体をマッサージする時に、ボディ部１６は、ウォータークッション効果によって身体に加えられる衝撃を吸収し、これと同時に自主的にクッション及び弾性復元能力を有した圧力マッサージ突起１０２０が、身体を刺激する。すなわち、プラスチックボトル１０Ｐ、１０Ｑは、前に説明した実施形態等に比べてより柔らかいマッサージ効果を得ることができる。
【０１３６】
同じく、肩部１４に形成された指圧突起１１４ａは、指圧時にも自主的なクッション及び弾性復元能力を持つので、指圧突起１１４ａによってより柔らかい指圧効果を得ることができる。
【０１３７】
前記圧力マッサージ突起１０２０は、図１９ａに示したようにボディ部１６の外周面１６ａに接着することができる。図１９ｂに示したように圧力マッサージ突起１０２０の付着力を安定化させるために、ボディ部１６の外周面１６ａで内部空間の方に挿入凹溝１６ｈを形成し、この挿入凹溝１６ｈに前記圧力マッサージ突起１０２０を付着してもよい。
【０１３８】
挿入凹溝１６ｈに圧力マッサージ突起１０２０を付着する場合には、圧縮力を受けた圧力マッサージ突起１０２０は、その直径が大きくなり、その結果、圧力マッサージ突起１０２０は、挿入凹溝１６ｈ中に無理に嵌め込まれる。また、リング型の突起は、挿入凹溝１６ｈから圧力マッサージ突起１０２０が分離できないように、挿入凹溝１６ｈ又は、圧力マッサージ突起１０２０のまわりに形成することができる。
【０１３９】
肩部１４に形成された指圧突起１１４ａを、前記圧力マッサージ突起１０２０と同様に付着することができる。一方、図１８ａ及び１８ｂは、プラスチックボトル１０Ｐ、１０Ｑのボディ部１６の全体に、指圧突起１０２０を形成したものを例示しているが、図５に示した例のように、ボディ部１６の上部にラベル付着領域を形成し、そのラベル付着領域を除いて前記指圧突起１０２０を形成してもよい。圧力マッサージ突起１０２０と指圧突起１１４ａは、円錐型以外に半球型または角錐型で形成することができる。
【０１４０】
図２０ａ、図２０ｂ及び図２１は本発明のさらなる実施形態によるプラスチックボトルを示したものである。
【０１４１】
上記の実施形態は図１ａから図１ｄ、図１３、図１５及び図１８ａに示した実施形態の構成と同等で、ただ異なるものは圧力マッサージ手段である。したがって圧力マッサージ手段に対してのみ以下に説明する。
【０１４２】
図２０ａ及び図２１に示したようにゴムまたはウレタンまたはその他の合成樹脂の材料で製造されたラップアラウンドシート２５と、このシート２５の表面に一体で形成された多数の圧力マッサージ突起１１２０と、を備えたものである。前記シート２５は、プラスチックボトル１０Ｒのボディ部１６の外周面のまわりを囲むように（ラップアラウンドで：ｗｒａｐａｒｏｕｎｄ）付着している。
【０１４３】
上記のように構成されたプラスチックボトル１０Ｒは、薄いボディ部１６の外周面に圧力マッサージ突起１１２０を有したシート２５が付着されているのでこのような手法で構成されたプラスチックボトル１０Ｒは、前に説明した実施形態と同等に圧力マッサージ突起１１２０によってマッサージ効果を得ることができる。シート２５は、このシート２５の一部の面または全体面に塗布された接着剤を用いて前記ボディ部に付着することができ、またはベルクロファスナー（ｖｅｌｃｒｏ  ｆａｓｔｅｎｅｒ）（登録商標）を用いて付着することができるので、シート２５は思い通りに着脱可能である。
【０１４４】
そして、前記圧力マッサージ突起１１２０を有したラップアラウンドシート２５はラベルとして使われることができる。すなわち、商品名や製造元などの広告用文字、記号、図形、シンボル、マークが択一的に印刷されたプラスチックフィルムラベルが、食品や飲み物用プラスチックボトルに付着される。
【０１４５】
したがって、本発明は図２０ｂに示したように前記合成樹脂シート２５ａの上部及び下部に文字と絵の印刷表示がされた圧力マッサージ突起１１２０は、一体で形成されるので、シート２５ａは、ラベルとして広告効果を得るとともに、マッサージ効果を得ることができるものである。
【０１４６】
前記圧力マッサージ突起１１２０は、シート２５、２５ａの厚みと同一の厚みに形成される。シート２５、２５ａは、打撃方式や加圧方式でマッサージをするときに、容易に破壊しないように、好ましくは０．１ｍｍから０．５ｍｍの厚みを有している。そして前記シート２５、２５ａは、ボディ部１６の全ての外周面前面又はその一部に付着することができる。
【０１４７】
図２２及び図２３ａ、図２３ｂは、本発明のさらなる実施形態によるプラスチックボトルを示したもので、これは図２０ａ及び図２０ｂに示した実施形態の改良例である。
【０１４８】
図２３ａに示したようにアタッチメント型の薄いシート２６の表面に多数の圧力マッサージ突起１２２０が、一体で形成されている。このシートは、図２２に示したようにプラスチックボトル１０Ｓのボディ部１６に付着されている。製造者が、前記圧力マッサージ突起１２２０が形成されたアタッチメント型シート２６を、プラスチックボトル１０Ｓ製品自体に、あらかじめ付着して販売することができ、消費者が、アタッチメント型シート２６を接着剤または両面テープを使って、直接プラスチックボトル１０Ｓに付着して使うことができる。飲食品製造会社は、製品を購買した消費者に、圧力マッサージ突起１２２０を有したアタッチメント型シート２６を提供することができ、消費者は、無料でシートを入手するので会社は、企業イメージを高めることができる。このように、図２０ａに示したラップアラウンドシート２５をもちろん、適用できる。
【０１４９】
圧力マッサージ突起１２２０を有したアタッチメント型シート２６は、ＰＥＴ、ＰＥ、ＰＰなどの合成樹脂またはゴムまたはウレタンで公知の射出成形または加熱加圧成形によって製造される。上記のように構成されたプラスチックボトル１０Ｓは、薄いボディ部１６の外周面に圧力マッサージ突起１２２０が形成されたアタッチメント型シート２６を付着しているので前に説明した実施例等と同等に圧力マッサージ突起１２２０によってマッサージ効果を得ることができる。
【０１５０】
一方、前記圧力マッサージ突起１２２０を有したアタッチメント型シート２６は、広告表示用ステッカー（ｓｔｉｃｋｅｒ）として使うことができる。すなわち、図２３ｂに示したように合成樹脂のアタッチメント型シート２６ａの表面に広告表示とともに圧力マッサージ突起１２２０が、形成される。アタッチメント型シート２６ａの裏面に塗布された接着剤と、この接着剤を保護する剥離紙２７は、接着剤で付着されている。使用者は、剥離紙を剥離した後、アタッチメントシート２６ａをボディ部１６の外周面に付着することで前に説明した実施例等と同等にマッサージ機能を得ることができる。
【０１５１】
一方、前記アタッチメント型シート２６ａは、例えばコーラのボトルの場合には、該当製造会社の広告を含むことができる。場合によっては図２３ｂに示したようにピザ配達店で注文広告を目的で”ＭＡＰＡＴ  Ｐｉｚｚａ、ＴＥＬ:  ０１２−３４５−６７８９”と言う商号及び電話番号を表示したステッカーを製造して消費者に与えることができるのである。
【０１５２】
前記圧力マッサージ突起１２２０はアタッチメント型シート２６、２６ａと同一の厚みで形成される。シート２６、２６ａは、打撃方式や加圧方式でマッサージをするときに、容易に破壊しないように好ましくは、０．１ｍｍから０．５ｍｍの厚みを有している。そして前記シート２６、２６ａは、ボディ部１６の外周面前面又はその一部分に付着することができる。そしてアタッチメント型シート２６、２６ａは、ボトルの大きさ及び形状によって多様なサイズ及び形状で提供されることができ、アタッチメント型シート２６、２６ａは、さらに、肩部１４にも付着することができる。
【０１５３】
図２４は本発明のプラスチックボトルの変形例を示したもので、プラスチックボトルは、肩部がなくて、ボトルの高さが高い。
【０１５４】
すなわち、キャップ３０によって開放及び閉鎖される注入口を有した首部１２と、底部１８と、ボディ部１６を含むプラスチックマッサージボトルであって、該ボディ部１６は、首部１２と底部１８を相互連結し、前記マッサージボトルが身体に対して叩かれ又は加圧されたときに弾性変形が可能で衝撃エネルギーを吸収するように０．１ｍｍから０．６ｍｍの厚みを有する。多数の圧力マッサージ突起２０は、ボトルが身体に対して叩かれ、または、加圧されたときに、身体の多数の区別された隣接地点にマッサージ圧力を加えることが可能な形状及び配列からなる圧力マッサージ突起２０を含んでいる。
【０１５５】
前記ボディ部１６は横断面が円筒形として断面積（直径）が上部から下部の底部１８に行くほど徐々に増加する外形を持つ。
【０１５６】
この時前記ボディ部１６に形成された指圧突起１３ａと圧力マッサージ突起２０の間の部分をラベル付着領域１６ｂにして公知のラベルを付着することができる。
【０１５７】
上記のように構成されたプラスチックボトル１０Ｔの全体の外形は、いわゆる野球バット（ｂａｓｅｂａｌｌ  ｂａｔ）形状をしており、プラスチックボトル１０Ｔの全体の高さが前に説明したプラスチックボトル等に比べて相対的に高くなっている。特に、首部１２を連結したボディ部１６は、その上部の長さが比較的に長くて指圧突起１３ａの近傍で、ボディ部１６は、使用者によって把持されるに適当な直径である。全体の長さが長いので、打撃点が安定して、背中（ｂａｃｋ）、脊椎（ｖｅｒｔｅｂｒａｌ  ｃｏｌｕｍｎ）、肩胛部位（ｓｃａｐｕｌａｒ  ｒｅｇｉｏｎ）  及び腰部位（ｌｕｍｂａｒ  ｒｅｇｉｏｎ）でマッサージ効果を高める。
【０１５８】
このような観点から前記ボディ部１６は円筒形が好ましいが、プラスチックボトルのデザインによって、ボディ部１６は、楕円円形、または四角形、四辺形の断面を有してもよい。また、キャップが図に示したねじ回し方式のキャップの大体として公知のワンタッチ式のキャップなど多様な形態のキャップを採用して使うことができる。
【産業上の利用可能性】
【０１５９】
以上、上述したように本発明のマッサージ道具を兼ねるプラスチックボトルは、次のような効果と利点を有する。
【０１６０】
第一に、使用者が、本発明のプラスチックボトルを用いて打撃方式または加圧方式でマッサージ行為をする時に、いわゆるボディ部が身体に衝撃エネルギーを伝達しないで、ウォータークッション効果によって衝撃エネルギーを吸収するので、その結果多数の圧力マッサージ突起が身体を刺激することができ、痛症を伴わずに快適なマッサージ効果を得るようになる。
【０１６１】
また、プラスチックボトルに充填された流体量を調節することでマッサージ効果を自由に調節することができ、打撃方式によるマッサージに加えて、ボディ部を両手で擦り付ける動作と、または手でもむ動作、マッサージをする身体に当てて転がす動作で圧力マッサージ突起が手や身体を刺激することができるので、多様なマッサージ効果を得るようになる。
【０１６２】
また、夏季に冷たい流体を満たしてマッサージをするようになれば、ボディ部を通じ冷気が身体に迅速に伝達して、心地よいマッサージ効果を得ることができ、打撃時の流体の音によって、使用者にマッサージをする気持ちを掻き立ててくれる。
【０１６３】
また、プラスチックボトルの肩部または握り部に形成され手のひらを刺激する指圧突起は、マッサージ効果とともにより、手の平に心地のよい刺激を与える効果を得ることができる。したがって、消費者がプラスチックボトル製品を購買すればウォータークッション効果のマッサージ道具を同時に得ることになるので、これにより販売会社はプラスチックボトルを再使用するという認識を消費者に植えてくれることのよって消費者たちに良い評価を得るであろう。
【０１６４】
第二、本発明は圧力マッサージ突起を通じて透過光線の屈折で、クリスタル効果が生じ消費者が製品の外観に好感を持つようになって、さらには陳列台に置かれた製品に消費者の目を集中させることができるようになって販売会社としては商業的成功を収めるであろう。
【０１６５】
第三、本発明は、薄いボディ部の外周面に形成された多数の圧力マッサージ突起がボディ部の座屈強度及び耐圧剛性を補強する。
【図面の簡単な説明】
【０１６６】
【図１ａ】本発明の実施形態によるプラスチックボトルの正面図である。
【図１ｂ】本発明の実施形態によるプラスチックボトルの正面図である。
【図１ｃ】本発明の実施形態によるプラスチックボトルの正面図である。
【図１ｄ】本発明の実施形態によるプラスチックボトルの正面図である。
【図２】図１ｂのＡ−Ａ線に従う断面図である。
【図３】本発明の作用状態を示すプラスチックボトルの使用状態図である。
【図４】図３の圧力マッサージ突起の挙動を示す“Ｚ”部の拡大図である。
【図５】本発明のラベル付着領域を有するボディ部の実施形態に係るプラスチックボトルの正面図である。
【図６】本発明のラベル付着領域を有するボディ部の実施形態に係るプラスチックボトルの正面図である。
【図７】本発明のラベル付着領域を有するボディ部の実施形態に係るプラスチックボトルの正面図である。
【図８】本発明のプラスチックボトルに握り部を付加した変形例の正面図である。
【図９ａ】本発明のボディ部に形成される圧力マッサージ突起の別の配置を有したプラスチックボトルの正面図である。
【図９ｂ】本発明のボディ部に形成される圧力マッサージ突起の別の配置を有したプラスチックボトルの正面図である。
【図９ｃ】本発明のボディ部に形成される圧力マッサージ突起の別の配置を有したプラスチックボトルの正面図である。
【図１０ａ】本発明に係るプラスチックマッサージボトルのボディ部の別の形態を示した正面図である。
【図１０ｂ】本発明に係るプラスチックマッサージボトルのボディ部の別の形態を示した正面図である。
【図１１】ａ、ｂ、ｃ及びｄは本発明に係るボディ部に形成された圧力マッサージ突起の形状及び多様な配列を例示した概略的正面図である。
【図１２ａ】図１ａに示した圧力マッサージ突起中の一つを例示した拡大断面図である。
【図１２ｂ】図１ｂに示した圧力マッサージ突起中の一つを例示した拡大断面図である。
【図１２ｃ】本発明のプラスチックボトルのボディ部に形成された圧力マッサージ突起の改良例をしめした拡大断面図である。
【図１２ｄ】本発明のプラスチックボトルのボディ部に形成された圧力マッサージ突起の改良例をしめした拡大断面図である。
【図１２ｅ】本発明のプラスチックボトルのボディ部に形成された圧力マッサージ突起の改良例をしめした拡大断面図である。
【図１３】本発明の他の実施形態によるプラスチックボトルの正面図である。
【図１４ａ】図１３に示した圧力マッサージ突起の一つを例示した拡大断面図である。
【図１４ｂ】図１４ａに示した圧力マッサージ突起の多様な改良例を示した拡大断面図である。
【図１４ｃ】図１４ａに示した圧力マッサージ突起の多様な改良例を示した拡大断面図である。
【図１４ｄ】図１４ａに示した圧力マッサージ突起の多様な改良例を示した拡大断面図である。
【図１４ｅ】図１４ａに示した圧力マッサージ突起の多様な改良例を示した拡大断面図である。
【図１５】本発明のさらなる他の実施形態によるプラスチックボトルの正面図である。
【図１６】図１５のＢ−Ｂ線の断面図である。
【図１７】図１５のＣ―Ｃ線の断面図である。
【図１８ａ】本発明のさらなる実施形態によるプラスチックボトルの正面図である。
【図１８ｂ】本発明のさらなる実施形態によるプラスチックボトルの正面図である。
【図１９】ａは図１８ａに示した圧力マッサージ突起の一つを例示した拡大断面図であり、ｂはａに示した圧力マッサージ突起の改良例の拡大断面図である。
【図２０ａ】本発明のさらなる実施形態によるプラスチックボトルの正面図である。
【図２０ｂ】本発明のさらなる実施形態によるプラスチックボトルの正面図である。
【図２１】図２０ａに示した圧力マッサージ突起が形成されたラップアラウンドシートの斜視図である。
【図２２】本発明のさらなる実施形態によるプラスチックボトルの正面図である。
【図２３ａ】図２２に示した圧力マッサージ突起が形成されたアタッチメント形シートの斜視図である。
【図２３ｂ】図２２に示したアタッチメント形シートの変形例を例示した斜視図である。
【図２４】本発明のさらなる重要な実施形態によるプラスチックボトルの正面図である。
【符号の説明】
【０１６７】
１０Ａ〜１０Ｔ  プラスチック（マッサージ）ボトル
１４  肩部
１８  底部
１６  ボディ部
２０  圧力マッサージ突起
３０  キャップ
【図１ａ】
2004534629.tif 000003
【図１ｂ】
2004534629.tif 000004
【図１ｃ】
2004534629.tif 000005
【図１ｄ】
2004534629.tif 000006
【図２】
2004534629.tif 000007
【図３】
2004534629.tif 000008
【図４】
2004534629.tif 000009
【図５】
2004534629.tif 000010
【図６】
2004534629.tif 000011
【図７】
2004534629.tif 000012
【図８】
2004534629.tif 000013
【図９ａ】
2004534629.tif 000014
【図９ｂ】
2004534629.tif 000015
【図９ｃ】
2004534629.tif 000016
【図１０ａ】
2004534629.tif 000017
【図１０ｂ】
2004534629.tif 000018
【図１１】
2004534629.tif 000019
【図１２ａ】
2004534629.tif 000020
【図１２ｂ】
2004534629.tif 000021
【図１２ｃ】
2004534629.tif 000022
【図１２ｄ】
2004534629.tif 000023
【図１２ｅ】
2004534629.tif 000024
【図１３】
2004534629.tif 000025
【図１４ａ】
2004534629.tif 000026
【図１４ｂ】
2004534629.tif 000027
【図１４ｃ】
2004534629.tif 000028
【図１４ｄ】
2004534629.tif 000029
【図１４ｅ】
2004534629.tif 000030
【図１５】
2004534629.tif 000031
【図１６】
2004534629.tif 000032
【図１７】
2004534629.tif 000033
【図１８ａ】
2004534629.tif 000034
【図１８ｂ】
2004534629.tif 000035
【図１９】
2004534629.tif 000036
【図２０ａ】
2004534629.tif 000037
【図２０ｂ】
2004534629.tif 000038
【図２１】
2004534629.tif 000039
【図２２】
2004534629.tif 000040
【図２３ａ】
2004534629.tif 000041
【図２３ｂ】
2004534629.tif 000042
【図２４】
2004534629.tif 000043
【国際公開パンフレット】
2004534629.tif 000044
2004534629.tif 000045
2004534629.tif 000046
2004534629.tif 000047
2004534629.tif 000048
2004534629.tif 000049
2004534629.tif 000050
2004534629.tif 000051
2004534629.tif 000052
2004534629.tif 000053
2004534629.tif 000054
2004534629.tif 000055
2004534629.tif 000056
2004534629.tif 000057
2004534629.tif 000058
2004534629.tif 000059
2004534629.tif 000060
2004534629.tif 000061
2004534629.tif 000062
2004534629.tif 000063
2004534629.tif 000064
2004534629.tif 000065
2004534629.tif 000066
2004534629.tif 000067
2004534629.tif 000068
2004534629.tif 000069
2004534629.tif 000070
2004534629.tif 000071
2004534629.tif 000072
2004534629.tif 000073
2004534629.tif 000074
2004534629.tif 000075
2004534629.tif 000076
2004534629.tif 000077
2004534629.tif 000078
2004534629.tif 000079
2004534629.tif 000080
2004534629.tif 000081
2004534629.tif 000082
2004534629.tif 000083
2004534629.tif 000084
2004534629.tif 000085
2004534629.tif 000086
2004534629.tif 000087
2004534629.tif 000088
2004534629.tif 000089
2004534629.tif 000090
2004534629.tif 000091
2004534629.tif 000092
2004534629.tif 000093
2004534629.tif 000094
2004534629.tif 000095
2004534629.tif 000096
2004534629.tif 000097
2004534629.tif 000098
2004534629.tif 000099
2004534629.tif 000100
2004534629.tif 000101
2004534629.tif 000102
2004534629.tif 000103
2004534629.tif 000104
2004534629.tif 000105
2004534629.tif 000106
2004534629.tif 000107
2004534629.tif 000108
2004534629.tif 000109
2004534629.tif 000110
2004534629.tif 000111
2004534629.tif 000112
【国際調査報告】
2004534629.tif 000113